(57)【要約】【課題】仮係止位置に取り付けられたリテーナがハウジングに対して相対変位するのを規制する。【解決手段】雌側コネクタＦ（コネクタ）は、取付孔１４へ収容され、ハウジング１０に対し、端子金具５０の挿入動作を許容する仮係止位置と、挿入済みの端子金具５０に係止して端子金具５０を抜止めする本係止位置とに選択的に取り付けられるリテーナ３０と、リテーナ３０のうちハウジング１０への取付け方向後端部を構成し、リテーナ３０が仮係止位置にあるときに取付孔１４の外部に位置する基端部３３と、基端部３３とハウジング１０とに形成され、リテーナ３０が仮係止位置にあるときにハウジング１０に対するリテーナ３０の相対変位を規制するガタ詰め部（第１ガタ詰め面２１，第２ガタ詰め面２２，第１ガタ詰め突起４１，第２ガタ詰め突起４２）とを備える。【選択図】図１２
2015026538.tif 000002
【特許請求の範囲】
【請求項１】
ハウジングと、
前記ハウジング内に挿入される端子金具と、
前記ハウジングに対し、前記端子金具の挿入動作を許容する仮係止位置と、挿入済みの前記端子金具に係止して前記端子金具を抜止めする本係止位置とに選択的に取り付けられるリテーナと、
前記リテーナのうち前記ハウジングへの挿入方向後端部を構成し、前記リテーナが仮係止位置にあるときに前記取付孔の外部に位置する基端部と、
前記基端部と前記ハウジングとに形成され、前記リテーナが仮係止位置にあるときに互いに当接することで前記ハウジングに対する前記リテーナの相対変位を規制するガタ詰め部とを備えていることを特徴とするコネクタ。
【請求項２】
前記ハウジングの外面に、相手側コネクタと嵌合することで嵌合姿勢を安定させるためのガイドリブが形成されており、
前記ハウジング側の前記ガタ詰め部が、前記ガイドリブに形成されていることを特徴とする請求項１記載のコネクタ。
【請求項３】
前記リテーナの挿入方向先端側には、前記リテーナの取付け方向と略平行な摺接部が形成され、
前記ハウジングには、前記リテーナの取付け方向と平行であり、前記リテーナが仮係止位置にあるときに前記摺接部が当接するガイド部が形成されていることを特徴とする請求項１又は請求項２記載のコネクタ。
【発明の詳細な説明】
【技術分野】
【０００１】
本発明は、コネクタに関するものである。
【背景技術】
【０００２】
特許文献１には、ハウジング内に端子金具を挿入し、ハウジング内の取付孔に取り付けたリテーナによって端子金具を抜止めするコネクタが開示されている。リテーナは、端子金具の挿入方向と交差する方向に取り付けられ、ハウジングに対する端子金具の挿入動作を許容する仮係止位置と、挿入済みの端子金具に係止する本係止位置とに保持されるようになっている。このコネクタには、本係止位置にあるリテーナがハウジングに対して相対変位するのを規制する手段として、リテーナの取付け方向基端部の外面と、ハウジングの取付孔の内面とに、互いに嵌合する嵌合手段が設けられている。
【先行技術文献】
【特許文献】
【０００３】
【特許文献１】特開２００５−１２３０７８号公報
【発明の概要】
【発明が解決しようとする課題】
【０００４】
上記の嵌合手段は、リテーナが本係止位置にあるときにはガタ詰め機能を発揮するが、リテーナが仮係止位置にあるときにはガタ詰め機能を発揮しない。そのため、リテーナが仮係止位置にある状態、即ち、ハウジングに端子金具を挿入する工程では、リテーナがハウジングに対して相対変位し、リテーナの一部が端子収容室における端子金具の挿入経路に進出する虞がある。この場合、端子金具がリテーナの進出部分と干渉して、端子金具の円滑な挿入動作に支障を来すことが懸念される。
本発明は上記のような事情に基づいて完成されたものであって、仮係止位置に取り付けられたリテーナがハウジングに対して相対変位するのを規制することを目的とする。
【課題を解決するための手段】
【０００５】
本発明のコネクタは、
ハウジングと、
前記ハウジング内に挿入される端子金具と、
前記ハウジングに対し、前記端子金具の挿入動作を許容する仮係止位置と、挿入済みの前記端子金具に係止して前記端子金具を抜止めする本係止位置とに選択的に取り付けられるリテーナと、
前記リテーナのうち前記ハウジングへの挿入方向後端部を構成し、前記リテーナが仮係止位置にあるときに前記取付孔の外部に位置する基端部と、
前記基端部と前記ハウジングとに形成され、前記リテーナが仮係止位置にあるときに互いに当接することで前記ハウジングに対する前記リテーナの相対変位を規制するガタ詰め部とを備えているところに特徴を有する。
【発明の効果】
【０００６】
この構成によれば、リテーナが仮係止位置にあるときには、ガタ詰め部同士が当接することにより、ハウジングに対するリテーナの相対変位が規制される。これにより、リテーナの相対変位に起因して端子金具の挿入動作に支障を来すことを防止できる。
【図面の簡単な説明】
【０００７】
【図１】実施例１においてリテーナが本係止位置に取り付けられた状態をあらわすコネクタの背面図
【図２】図１のＡ−Ａ線断面図
【図３】図１のＢ−Ｂ線断面図
【図４】リテーナが仮係止位置に取り付けられた状態をあらわすコネクタの背面図
【図５】図４のＣ−Ｃ線断面図
【図６】リテーナの背面図
【図７】リテーナの平面図
【図８】リテーナの右側面図
【図９】ハウジングの正面図
【図１０】図９のＤ−Ｄ線断面図
【図１１】ハウジングの右側面図
【図１２】ハウジングにリテーナを取り付けた状態をあらわす部分拡大右側面図
【発明を実施するための形態】
【０００８】
（１）本発明のコネクタは、
前記ハウジングの外面に、相手側コネクタと嵌合することで嵌合姿勢を安定させるためのガイドリブが形成されており、
前記ハウジング側の前記ガタ詰め部が、前記ガイドリブに形成されていてもよい。
この構成によれば、ガイドリブがガタ詰め部の機能を兼ね備えているので、ガイドリブがガタ詰めの機能を有しないものに比べると、ハウジングの形状の簡素化を図ることができる。
【０００９】
（２）本発明のコネクタは、
前記リテーナの挿入方向先端側には、前記リテーナの取付け方向と略平行な摺接部が形成され、
前記ハウジングには、前記リテーナの取付け方向と平行であり、前記リテーナが仮係止位置にあるときに前記摺接部が当接するガイド部が形成されていてもよい。
この構成によれば、摺接部とガイド部が当接することにより、リテーナの傾きが防止される。
【００１０】
＜実施例１＞
以下、本発明を具体化した実施例１を図１〜図１２を参照して説明する。本実施例の雌側コネクタＦ（請求項に記載のコネクタ）の嵌合対象である相手側コネクタＭは、図９に示すように、フード部６０を有する雄形のコネクタである。フード部６０を構成する左右両側壁部の内面には、夫々、両コネクタＭ，Ｆの嵌合方向と平行なガイド溝６１が、上下に間隔を空けて一対ずつ形成されている。
【００１１】
雌側コネクタＦは、合成樹脂製のハウジング１０と、複数の端子金具５０と、合成樹脂製のリテーナ３０とを組み付けて構成されている。図９に示すように、ハウジング１０の左右両側面には、夫々、上下に間隔を空けて配置された一対ずつのガイドリブ１１が形成されている。ガイドリブ１１は、前後方向（雌側コネクタＦと相手側コネクタＭの嵌合方向と平行な方向）に直線状に延びた形態である。雌側コネクタＦと相手側コネクタＭの嵌合過程では、ガイドリブ１１がガイド溝６１に嵌合することにより、両コネクタＭ，Ｆが、傾くことなく安定した姿勢を保ちながら円滑に嵌合されるようになっている。
【００１２】
また、図３に示すように、ハウジング１０の内部には、複数の端子収容室１２が、上下二段に分かれて形成されている。各端子収容室１２内には、夫々、ハウジング１０の後方（図３における右方）から端子金具５０が挿入されてランス１３の係止作用により抜止めされている。また、端子収容室１２に挿入された端子金具５０は、後述するリテーナ３０の係止作用によっても抜止めされている。
【００１３】
図１０に示すように、ハウジング１０の内部には、その左右両側面に開口する取付孔１４が形成されている。ハウジング１０の右側面における取付孔１４の開口領域は、ハウジング１０の左側面における取付孔１４の開口領域よりも大きい。取付孔１４には、ハウジング１０の右方からリテーナ３０が取り付けられて収容されるようになっている。収容されたリテーナ３０は、仮係止位置（図４，５を参照）と本係止位置（図１，２を参照）のいずれかに選択的に保持されるようになっている。
【００１４】
図３及び図５に示すように、取付孔１４は、上下両端部が端子収容室１２に連通した第１室１５と、第１室１５よりも高さ寸法の小さい第２室１６と、第２室１６とほぼ同じ高さの第３室１７とから構成されている。第１室１５は、左右方向に細長く延びていて、ハウジング１０の右側面から左側面まで連通している。第１室１５の断面形状、即ちハウジング１０の左右両側面における開口形状は、縦長の方形である。第１室１５内には、リテーナ３０の本体部３１と抜止部３２が収容されるようになっている。
【００１５】
図１１に示すように、第１室１５の上端は上側のガイドリブ１１よりも高い位置にあり、第１室１５の下端は下側のガイドリブ１１よりも低い位置にある。そして、図１０に示すように、ハウジング１０の右側面においては、上下両ガイドリブ１１が、第１室１５を境として前部リブ１１Ｆと後部リブ１１Ｒとに分断されている。前部リブ１１Ｆの後端面は、第１室１５の前面と面一状に連なっている。後部リブ１１Ｒの前端面は、第１室１５の後面と面一状に連なっている。
【００１６】
図１０，１１に示すように、第２室１６は、第１室１５の後面に連通し、左右方向に細長く延びている。第２室１６の右端はハウジング１０の右側面に開口し、第２室１６の左端は、ハウジング１０の外壁部で閉塞されている。第２室１６の断面形状、即ちハウジング１０の右側面における開口形状は、縦長の方形である。第１室１５の高さ方向中心と第２室１６の高さ方向中心は、同じ高さとなっている。第２室１６の上面は、上段の端子収容室１２の底壁部によって構成され、第２室１６の下面は、下段の端子収容室１２の上壁部によって構成されている。
【００１７】
この第２室１６の上面と下面のうち右端部を除いた大部分の領域は、上下一対のガイド部１８として機能する。ガイド部１８は、左右方向（即ち、ハウジング１０に対するリテーナ３０の取り付け方向と平行な方向）に直線状に延びた形態である。図２，５に示すように、第２室１６には、リテーナ３０の摺接部３７がガイド部１８に摺接しながら収容されるようになっている。
【００１８】
図１０に示すように、第３室１７の左右方向における形成領域は、ハウジング１０の右側の端部のみに限定されている。第３室１７は第２室１６の後面に連通している。第３室１７の右端部は、ハウジング１０の右側面に開口している。第３室１７内には、リテーナ３０の操作部３４と弾性ロック片３６が収容されるようになっている。第３室１７の上面と下面のうち右端部を除いた領域には、夫々、左右に間隔を空けた一対ずつの係止突起１９が形成されている。
【００１９】
図１０，１１，１２に示すように、取付孔１４の右端部の内面には、仮係止位置及び本係止位置にあるリテーナ３０をガタ詰めするための第１ガタ詰め面２１（請求項に記載のガタ詰め部）と、仮係止位置にあるリテーナ３０をガタ詰めするための第２ガタ詰め面２２（請求項に記載のガタ詰め部）と、本係止位置にあるリテーナ３０をガタ詰めするための第３ガタ詰め面２３が形成されている。
【００２０】
第２室１６の右端部の上面と第３室１７の右端部の上面は、上側の後部リブ１１Ｒの下面に対して面一状に連なっており、第２室１６の右端部の下面と第３室１７の右端部の下面は、下側の後部リブ１１Ｒの上面に対して面一状に連なっている。そして、第２室１６の右端部上面から上側の後部リブ１１Ｒの下面に亘る領域と、第２室１６の右端部における下面から下側の後部リブ１１Ｒの上面に亘る領域は、上下に対向する一対の第１ガタ詰め面２１として機能する。
【００２１】
第１室１５の前面における上端部と下端部は、その右端部において上下両前部リブ１１Ｆの後端面と面一状に連なっている。第１室１５の前面の上下両端部のうち右端部は、後方に面する上下一対の第２ガタ詰め面２２として機能する。また、第１室１５の右端部における上面と下面は、上下方向に対向する一対の第３ガタ詰め面２３として機能する。さらに、第３室１７の右端部における後面は、第２ガタ詰め面２２と前後に対向する第４ガタ詰め面２４として機能する。
【００２２】
図６〜８に示すように、リテーナ３０は、ハウジング１０に対するリテーナ３０の取付け方向（以下、「取付け方向」という）と平行な方向である左右方向に細長く延びた形態の本体部３１を有している。本体部３１の上面には、上方へ突出する複数の抜止部３２が、端子収容室１２と対応するように左右に間隔を空けて形成されている。本体部３１の下面にも、下方へ突出する複数の抜止部３２が、端子収容室１２と対応するように左右に間隔を空けて形成されている。
【００２３】
リテーナ３０のうちハウジング１０への取付け方向後端部は、取付け操作等を行う際に作業者によって把持される基端部３３となっている。この基端部３３には、本体部３１の右端部から後方（つまり、リテーナ３０の取付け方向と略直角に交差する方向）へ片持ち状に延出した形態の操作部３４が形成されている。操作部３４は、方形の板状をなし、操作部３４の右側面は、リテーナ３０をハウジング１０に取りつける際に作業者が押し操作するための平坦な操作面３５となっている。リテーナ３０の基端部３３には、リテーナ３０をハウジング１０に対して取付け状態に保持するためのロック手段として、上下に間隔を空けた一対の弾性ロック片３６が配されている。弾性ロック片３６は、操作部３４の左側面から左方へ片持ち状に延出した形態である。
【００２４】
リテーナ３０における取付け方向先端側の領域には、上下一対の摺接部３７が形成されている。摺接部３７は、本体部３１の後面から後方へリブ状に突出した形態であり、左右方向（つまり、リテーナ３０の取付け方向と平行な方向）に直線状に延びた形態である。左右方向における摺接部３７の形成領域は、リテーナ３０（本体部３１）の左端に近い位置から、リテーナ３０（本体部３１）の長さ方向略中央位置に至る範囲である。摺接部３７の本体部３１からの延出方向は、操作部３４の本体部３１からの延出方向と同じ方向となっている。
【００２５】
リテーナ３０の基端部３３には、第１ガタ詰め突起４１（請求項に記載のガタ詰め部）と、第２ガタ詰め突起４２（請求項に記載のガタ詰め部）と、第３ガタ詰め突起４３が形成されている。第１ガタ詰め突起４１は、操作部３４のうち最も本体部３１に近い前端部の上面と下面に形成されている。一対の第１ガタ詰め突起４１は、互いに上下反対向きに突出した形態である。第２ガタ詰め突起４２は、本体部３１の前面における右端部に形成されている。一対の第２ガタ詰め突起４２は、いずれも前方へ突出している。また、本体部３１の右端部には、上下両方向へ突出する一対の板状突出部４４が形成されている。そして、上側の板状突出部４４の上面と下側の板状突出部４４の下面に、一対の第３ガタ詰め突起４３が形成されている。一対の第３ガタ詰め突起４３の突出方向は、第１ガタ詰め突起４１と同じく、互いに上下反対向きである。
【００２６】
次に、本実施例の作用を説明する。ハウジング１０に端子金具５０を取り付ける際には、予め、リテーナ３０をハウジング１０に取り付けて仮係止位置に保持しておく。取り付けに際しては、本体部３１の左端部を先に向けて、ハウジング１０の右方からリテーナ３０を取付孔１４内に差し込む。このとき、本体部３１と抜止部３２を第１室１５に嵌入し、上下一対の摺接部３７を第２室１６に嵌入する。
【００２７】
そして、操作面３５を押し操作することにより、リテーナ３０の取付け工程を進めていく。リテーナ３０の取付け過程では、上側の摺接部３７が上側のガイド部１８に摺接するとともに、下側の摺接部３７が下側のガイド部１８に摺接することにより、リテーナ３０は、ハウジング１０に対する上下方向への相対変位と傾きが規制される。したがって、リテーナ３０は、正しい姿勢を保ったままで平行移動する。
【００２８】
リテーナ３０の取付けが進むと、操作部３４と弾性ロック片３６が第３室１７内に進入する。そして、リテーナ３０が仮係止位置に近づくと、上下両弾性ロック片３６が、係止突起１９と干渉して互いに接近するように弾性撓みする。そして、リテーナ３０が仮係止位置に到達すると、図４に示すように、両弾性ロック片３６が弾性復帰して左右に隣り合う係止突起１９の間に嵌合する。この係止作用により、リテーナ３０は、仮係止位置において左右方向への相対変位を規制された状態に保持される。図５に示すように、リテーナ３０が仮係止位置にある状態では、リテーナ３０の基端部３３は、取付孔１４の外部に位置している。
【００２９】
リテーナ３０が仮係止位置にある状態では、抜止部３２が、端子金具５０に対して右方へ外れた非対応位置にある。したがって、各端子収容室１２には、端子金具５０を挿入することができる。また、本体部３１は、上側の端子収容室１２と下側の端子収容室１２との間に位置しているのであるが、もし、リテーナ３０が上下方向にガタ付きを生じた場合には、本体部３１の一部が端子収容室１２内に進出して挿入過程の端子金具５０と干渉することが懸念される。
【００３０】
本実施例では、リテーナ３０が仮係止位置にあるときのリテーナ３０の上下方向へのガタ付きを防止する手段として、図１０，１２に示すように、リテーナ３０の基端部３３において、リテーナ３０に形成した上下一対の第１ガタ詰め突起４１を、ハウジング１０に形成した一対の第１ガタ詰め面２１に対し上下に突っ張るように押圧状態で当接させる構造を採用している。これと併せて、図３に示すように、リテーナ３０の摺接部３７を、ハウジング１０の上下一対のガイド部１８の間に嵌合させる構造も採用している。これらの当接構造と嵌合構造により、仮係止位置のリテーナ３０が上下にガタ付きを生じたり上下に傾いたりすることが規制されている。したがって、リテーナ３０の上下のガタ付きに起因して端子金具５０の挿入動作に支障を来すことはない。
【００３１】
また、リテーナ３０が仮係止位置にある状態では、図５に示すように、リテーナ３０の基端部３３において、リテーナ３０の前面の第２ガタ詰め突起４２が、ハウジング１０の第２ガタ詰め面２２に対して後方から押圧状態で当接するとともに、リテーナ３０の操作部３４の後端面がハウジング１０の第４ガタ詰め面２４に対して前方から押圧状態で当接する。また、リテーナ３０の取付け方向先端側（左端側）では、本体部３１の前面と後面が、第１室１５の前面と後面に当接する。これらの当接作用により、リテーナ３０は、ハウジング１０に対する前後方向への相対変位が規制されている。尚、第３ガタ詰め突起４３は、取付孔１４の外部に位置していて、第３ガタ詰め面２３に対して右方に外れた非対応の位置にある。
【００３２】
全ての端子収容室１２に端子金具５０を挿入した後は、操作面３５に係止突起１９とロック突起の係止力を上回る押し操作力を付与する。すると、弾性ロック片３６が弾性撓みして、リテーナ３０は仮係止位置から本係止位置へ移動する。リテーナ３０が本係止位置に移動すると、図１に示すように、弾性ロック片３６が左側の係止突起１９に対して左側から係止し、この係止作用によってリテーナ３０が本係止位置に保持される。リテーナ３０が本係止位置にある状態では、抜止部３２が端子金具５０の角筒部５１に対して後方から係止するので、この係止作用により、端子金具５０が抜止めされる。したがって、端子金具５０は、ランス１３による一次係止作用と、リテーナ３０による二次係止作用とにより、確実に抜止めされた状態に保持される。また、リテーナ３０が仮係止位置から本係止位置へ移動するときにも、摺接部３７がガイド部１８に摺接するので、リテーナ３０の上下への傾きが規制されている。
【００３３】
また、リテーナ３０が本係止位置にある状態では、仮係止位置のときと同様、リテーナ３０の基端部３３において、上下一対の第１ガタ詰め突起４１が一対の第１ガタ詰め面２１に対し上下に突っ張るように押圧状態で当接するので、リテーナ３０の基端部３３における上下方向のガタ付きが規制されている。同じくリテーナ３０の基端部３３では、リテーナ３０に形成した上下一対の第３ガタ詰め突起４３が、ハウジング１０に形成した一対の第３ガタ詰め面２３に対し上下に突っ張るように押圧状態で当接する。これらの押圧状態の当接作用により、リテーナ３０の基端部３３の上下方向へのガタ付きが規制される。また、摺接部３７とガイド部１８の当接により、リテーナ３０の取付け方向先端側の上下方向へのガタ付きも規制される。尚、第２ガタ詰め突起４２は、第２ガタ詰め面２２から外れる。
【００３４】
本実施例の雌側コネクタＦは、ハウジング１０に対し、端子金具５０の挿入動作を許容する仮係止位置と、挿入済みの端子金具５０に係止して端子金具５０を抜止めする本係止位置とに選択的に取り付けられるリテーナ３０を有する。リテーナ３０のうちハウジング１０への挿入方向後端部は、リテーナ３０が仮係止位置にあるときに取付孔１４の外部に位置する基端部３３となっている。そして、リテーナ３０の基端部３３とハウジング１０には、リテーナ３０が仮係止位置にあるときに互いに当接することでハウジング１０に対するリテーナ３０の相対変位を規制するガタ詰め部（第１ガタ詰め面２１、第２ガタ詰め面２２、第１ガタ詰め突起４１、第２ガタ詰め突起４２、）が形成されている。この構成によれば、リテーナ３０が仮係止位置にあるときには、第１ガタ詰め突起４１と第２ガタ詰め突起４２が、夫々、第１ガタ詰め面２１と第２ガタ詰め面２２に当接することにより、ハウジング１０に対するリテーナ３０の相対変位が規制される。これにより、リテーナ３０の相対変位に起因して端子金具５０の挿入動作に支障を来すことを防止できる。
【００３５】
また、ハウジング１０の外面には、相手側コネクタＭと嵌合することで嵌合姿勢を安定させるためのガイドリブ１１が形成されており、ハウジング１０側の第１ガタ詰め面２１がガイドリブ１１に形成されている。この構成によれば、ガイドリブ１１が第１ガタ詰め面２１としての機能を兼ね備えているので、ガイドリブ１１がガタ詰め手段としての機能を有しないものに比べると、ハウジング１０の形状の簡素化を図ることができる。
【００３６】
＜他の実施例＞
本発明は上記記述及び図面によって説明した実施例に限定されるものではなく、例えば次のような実施例も本発明の技術的範囲に含まれる。
（１）上記実施例では、ガイドリブがガタ詰め部（第１ガタ詰め面）の機能を兼ね備えるようにしたが、ガイドリブがガタ詰め部の機能を兼ね備えない形態としてもよい。
（２）上記実施例では、リテーナの取付け方向先端側に形成した摺接部を、ハウジングのガイド部に摺接させるようにしたが、このような摺接部とガイド部の摺接構造を設けない形態としてもよい。
【符号の説明】
【００３７】
Ｆ…雌側コネクタ（コネクタ）
Ｍ…相手側コネクタ
１０…ハウジング
１１…ガイドリブ
１４…取付孔
１８…ガイド部
２１…第１ガタ詰め面（ハウジングのガタ詰め部）
２２…第２ガタ詰め面（ハウジングのガタ詰め部）
３０…リテーナ
３３…リテーナの基端部
３７…摺接部
４１…第１ガタ詰め突起（リテーナのガタ詰め部）
４２…第２ガタ詰め突起（リテーナのガタ詰め部）
５０…端子金具
【図１】
2015026538.tif 000003
【図２】
2015026538.tif 000004
【図３】
2015026538.tif 000005
【図４】
2015026538.tif 000006
【図５】
2015026538.tif 000007
【図６】
2015026538.tif 000008
【図７】
2015026538.tif 000009
【図８】
2015026538.tif 000010
【図９】
2015026538.tif 000011
【図１０】
2015026538.tif 000012
【図１１】
2015026538.tif 000013
【図１２】
2015026538.tif 000014
【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
取付孔が開口して形成されたハウジングと、
前記ハウジング内に挿入される端子金具と、
前記取付孔へ収容され、前記ハウジングに対し、前記端子金具の挿入動作を許容する仮係止位置と、挿入済みの前記端子金具に係止して前記端子金具を抜止めする本係止位置とに選択的に取り付けられるリテーナと、
前記リテーナのうち前記ハウジングへの取付け方向後端部を構成し、前記リテーナが仮係止位置にあるときに前記取付孔の外部に位置する基端部と、
前記基端部と前記ハウジングとに形成され、前記リテーナが仮係止位置にあるときに互いに当接することで前記ハウジングに対する前記リテーナの相対変位を規制するガタ詰め部とを備えていることを特徴とするコネクタ。
【請求項２】
前記ハウジングの外面に、相手側コネクタと嵌合することで嵌合姿勢を安定させるためのガイドリブが形成されており、
前記ハウジング側の前記ガタ詰め部が、前記ガイドリブに形成されていることを特徴とする請求項１記載のコネクタ。
【請求項３】
前記リテーナの取付け方向先端側には、前記リテーナの取付け方向と略平行な摺接部が形成され、
前記ハウジングには、前記リテーナの取付け方向と平行であり、前記リテーナが仮係止位置にあるときに前記摺接部が当接するガイド部が形成されていることを特徴とする請求項１又は請求項２記載のコネクタ。
【手続補正２】
【補正対象書類名】明細書
【補正対象項目名】０００５
【補正方法】変更
【補正の内容】
【０００５】
本発明のコネクタは、
取付孔が開口して形成されたハウジングと、
前記ハウジング内に挿入される端子金具と、
前記取付孔へ収容され、前記ハウジングに対し、前記端子金具の挿入動作を許容する仮係止位置と、挿入済みの前記端子金具に係止して前記端子金具を抜止めする本係止位置とに選択的に取り付けられるリテーナと、
前記リテーナのうち前記ハウジングへの取付け方向後端部を構成し、前記リテーナが仮係止位置にあるときに前記取付孔の外部に位置する基端部と、
前記基端部と前記ハウジングとに形成され、前記リテーナが仮係止位置にあるときに互いに当接することで前記ハウジングに対する前記リテーナの相対変位を規制するガタ詰め部とを備えているところに特徴を有する。
【手続補正３】
【補正対象書類名】明細書
【補正対象項目名】０００９
【補正方法】変更
【補正の内容】
【０００９】
（２）本発明のコネクタは、
前記リテーナの取付け方向先端側には、前記リテーナの取付け方向と略平行な摺接部が形成され、
前記ハウジングには、前記リテーナの取付け方向と平行であり、前記リテーナが仮係止位置にあるときに前記摺接部が当接するガイド部が形成されていてもよい。
この構成によれば、摺接部とガイド部が当接することにより、リテーナの傾きが防止される。
【手続補正４】
【補正対象書類名】明細書
【補正対象項目名】００３４
【補正方法】変更
【補正の内容】
【００３４】
本実施例の雌側コネクタＦは、ハウジング１０に対し、端子金具５０の挿入動作を許容する仮係止位置と、挿入済みの端子金具５０に係止して端子金具５０を抜止めする本係止位置とに選択的に取り付けられるリテーナ３０を有する。リテーナ３０のうちハウジング１０への取付け方向後端部は、リテーナ３０が仮係止位置にあるときに取付孔１４の外部に位置する基端部３３となっている。そして、リテーナ３０の基端部３３とハウジング１０には、リテーナ３０が仮係止位置にあるときに互いに当接することでハウジング１０に対するリテーナ３０の相対変位を規制するガタ詰め部（第１ガタ詰め面２１、第２ガタ詰め面２２、第１ガタ詰め突起４１、第２ガタ詰め突起４２、）が形成されている。この構成によれば、リテーナ３０が仮係止位置にあるときには、第１ガタ詰め突起４１と第２ガタ詰め突起４２が、夫々、第１ガタ詰め面２１と第２ガタ詰め面２２に当接することにより、ハウジング１０に対するリテーナ３０の相対変位が規制される。これにより、リテーナ３０の相対変位に起因して端子金具５０の挿入動作に支障を来すことを防止できる。